(57)【要約】【課題】  例えば携帯電話端末の一つの画面に複数のアプリケーションが表示されている場合に、ユーザに対して明示的にキー・イベント振り分けを通知できるようにする。【解決手段】  複数のアプリケーションのウィンドウ３２０，３３０を表示する表示手段１０８と、この表示手段１０８に表示されたウィンドウ３２０，３３０上のコンテンツ・データに対し入力操作を行う操作手段と、あるアプリケーションのコンテンツ・データがアクティブになったことを検知する検知手段と、この検知手段の検知結果より、アクティブになったアプリケーションのコンテンツ・データを操作できるよう切り替える切替手段と、この切替手段によってコンテンツ・データが操作可能な状態に切り替えられたことを表示手段１０８の一部３１３に通知する通知手段とから構成する。【選択図】        図５
2006059117.tif 000002
【特許請求の範囲】
【請求項１】
複数のアプリケーションのウィンドウを表示する表示手段と、
前記表示手段に表示されたウィンドウ上のコンテンツ・データに対し入力操作を行う操作手段と、
特定のアプリケーションのコンテンツ・データがアクティブになったことを検知する検知手段と、
前記検知手段の検知結果より、前記アクティブになったアプリケーションのコンテンツ・データを操作できるよう切り替える切替手段と、
前記切替手段によって前記コンテンツ・データが操作可能な状態に切り替えられたことを通知する通知手段と
を有することを特徴とする携帯端末。
【請求項２】
前記通知手段として、前記コンテンツ・データが操作可能な状態に切り替えられたことを、前記表示手段の一部に表示する
ことを特徴とする請求項１記載の携帯端末。
【請求項３】
前記通知手段として、前記コンテンツ・データが操作可能な状態に切り替えられたことを、発光部を発光させることにより通知する
ことを特徴とする請求項１記載の携帯端末。
【請求項４】
前記通知手段として、前記コンテンツ・データが操作可能な状態に切り替えられたことを、スピーカを利用し音により通知する
ことを特徴とする請求項１記載の携帯端末。
【請求項５】
前記通知手段として、前記コンテンツ・データが操作可能な状態に切り替えられたことを、振動部によって前記携帯端末自体を振動させることにより通知する
ことを特徴とする請求項１記載の携帯端末。
【請求項６】
前記検知手段は、前記コンテンツ・データに含まれる識別情報により検知する
ことを特徴とする請求項１記載の携帯端末。
【発明の詳細な説明】
【技術分野】
【０００１】
本発明は、携帯電話端末等の携帯端末に関し、特に一画面に複数のアプリケーションを表示可能な携帯端末に関する。
【背景技術】
【０００２】
従来、例えば、パーソナル・コンピュータ（ＰＣ）のマルチ・ウィンドウ表示においては、複数のアプリケーション・ソフトウェア（以下、「アプリケーション」という。）を起動して並列処理する場合、優先して処理を行うアプリケーションと他のアプリケーションのウイィンドウを異なる表示色としており、現在操作可能なアプリケーションと他のものを区別することができ、ユーザは所望のアプリケーションを選択して任意の処理を行うことができる。
【０００３】
一方、携帯電話端末等の携帯端末において、ユーザが表示画面に表示されたアプリケーションをキー操作する場合、従来一つのアプリケーションが表示画面を占有しているので、どのアプリケーションがキー・フォーカスを取得しているかが明示的に知らされていなくても何等問題はない。
【０００４】
これは、複数のアプリケーションを並列起動できるようにした場合でも同じことが言える。例えば、複数のアプリケーションを並列に起動させて、各アプリケーションへの表示切り替えを容易に行うことができる技術が提案されている。例えばいわゆる２画面携帯電話端末のように２つの表示部を備えた端末において、メイン表示部に表示しているタスクに対応付けしたアイコンを生成して、このアイコンをサブ表示部に表示し、このようにしてサブ表示部に表示された複数のアイコンの中から所望のアイコンを選択すると、選択したアイコンに対応するタスクをメイン表示部に復元して表示することでタスク表示の切り替えを可能としている（例えば、特許文献１参照。）。
【０００５】
また、複数のアプリケーションが一つの画面に同時に表示される場合であっても、携帯端末上に配置されているキーについて、予め用いられるキーをアプリケーション毎に割り振っておくことで解決できる。
【特許文献１】特開２００３−１６２３５５号公報
【発明の開示】
【発明が解決しようとする課題】
【０００６】
しかしながら、特許文献１に記載の技術のように、複数のアプリケーションが起動しているが、メイン表示部には一つのアプリケーションのみが表示されるようになっている場合、マルチ・ウィンドウ表示において、データ放送などのアプリケーションのコンテンツが受動的に変化したときには、いずれのアプリケーションのコンテンツが選択されているかわからない。つまり、片方のアプリケーションがコンテンツに応じて自動的にキー・イベントを振り分ける場合、従来技術では、ユーザはキー・イベントが振り分けられているアプリケーションを特定することができないという問題があった。
【０００７】
例えば、携帯電話端末の一つの画面の上段にテレビ放送アプリケーションの視聴者参加型（双方向サービス）のクイズ番組のコンテンツ（１）を表示し、その下段にデータ放送のコンテンツ（２）を表示する例を考える。ここで、クイズ番組では視聴者にクイズの回答を要求する場面になって、画面下段のコンテンツ（２）の表示がクイズ回答用のコンテンツ（３）に切り替わったとする。すると、ユーザは、これまで画面上段に表示されたテレビ放送番組のチャンネル切り替え等の操作が可能であったために、画面下段に突然クイズ回答用コンテンツが表示されても、そのクイズ回答用のコンテンツ（３）を表示するアプリケーションにキー・イベントが振り分けられたのかどうか即座に認識することができない。
【０００８】
斯かる点に鑑み、本発明は、例えば携帯電話端末の一つの画面に複数のアプリケーションが表示されている場合に、ユーザに対して明示的にキー・イベント振り分けを通知できるようにすることを目的とする。
【課題を解決するための手段】
【０００９】
上記課題を解決し目的を達成するため、本発明は、複数のアプリケーションのウィンドウを表示する表示手段と、この表示手段に表示されたウィンドウ上のコンテンツ・データに対し入力操作を行う操作手段と、特定のアプリケーションのコンテンツ・データがアクティブになったことを検知する検知手段と、この検知手段の検知結果より、アクティブになったアプリケーションのコンテンツ・データを操作できるよう切り替える切替手段と、この切替手段によってコンテンツ・データが操作可能な状態に切り替えられたことを通知する通知手段とから構成する。
【００１０】
斯かる本発明によれば、複数のアプリケーションを表示可能な表示手段を持つ携帯端末において、コンテンツ・データに応じてキー・イベントが自動的に振り分けられるアプリケーションを使用時に、キー・イベントが振り分けられているアプリケーションあるいはそのコンテンツを表示部の一部に表示するなどして通知することで、ユーザに対しどのアプリケーションにキー・イベントが振り分けられているかを明示的に知らせることができる。
【発明の効果】
【００１１】
本発明によれば、ユーザに対しどのアプリケーションにキー・イベントが振り分けられているかを明示的に知らせることができるようにしたので、ユーザは入力操作可能なアプリケーションが切り替わり新たにキー・イベントが振り分けられたアプリケーションのコンテンツ・データを即座に認識することができるので、ユーザビリティが向上するという効果がある。
【発明を実施するための最良の形態】
【００１２】
以下、本発明の一実施の形態について添付図面を参照して説明する。本例は携帯端末として携帯電話端末に適用した場合について述べる。
【００１３】
図１は、携帯電話端末の一例を示した概略外観図である。図１に示す携帯電話端末１００の筐体は、上部筐体１００ａ、下部筐体１００ｂとこれらを回動可能に接続するヒンジ部１００ｃから構成された、いわゆる折り畳み型あるいはクラムシェル型といわれる開閉方式のものである。図１に示されるように携帯電話端末１００の上部筐体１００ａ及び下部筐体１００ｂを開いた状態において、上部筐体１００ａに表示部１０８とスピーカ１０４が配置されている。一方、下部筐体１００ｂにはジョグ・シャトル・ダイヤルや押しボタン等が複数配置され操作手段として機能するキー操作部１０６とマイクロフォン１０３が配置されている。
【００１４】
なお、携帯電話端末１００の構造は図１に示すものに限るものではなく、いわゆるスライド型、リボルバー型、あるいは１つの筐体から構成されているスティック型などであってもよいことは勿論である。
【００１５】
次に、本例の携帯電話端末１００の構成を、図２を参照して説明する。本例の携帯電話端末１００は、無線電話通信用のアンテナ１０１を備え、そのアンテナ１０１が無線電話通信用の通信回路１０２に接続してあり、制御部１２０の制御で、基地局（図示略）との間で無線通信を行うようにしてある。通信回路１０２で通話用の通信を行う際には、受信した音声データをスピーカ１０４に供給して出力させ、マイクロフォン１０３が拾って出力する音声データを通信回路１０２に供給して基地局へ送信させる。
【００１６】
この携帯電話端末１００は、液晶ディスプレイなどで構成された表示部１０８、この表示部１０８に表示する画像データの制御を行う表示部コントローラ１０７、前述の操作キーなどで構成されたキー操作部１０６を備える。表示部１０７には、メール文、ウェブにアクセスさせた画面などを表示させることができ、キー操作部１０６は、電話番号やメール文などの入力操作や、各種モード設定などが行える。また、アンテナ１１０を介してテレビジョン放送波を受信するテレビ受信機１０９を有している。
【００１７】
なお、キー操作部１０６で文字入力を行う際には、入力された文字に続く文字の候補を表示させて、メール文を比較的簡単に入力させることができる文字入力支援機能を有する。本例の携帯電話端末１００の場合には、この文字入力支援機能として、そのときの動作モードにより、候補として表示させる文字を変化させるようにしてある。例えば、メール文入力モードの場合には、入力させた文字と関連する、メール文で使用される頻度の高い文字列の候補を、表示させる。また、後述するクイズ回答あるいはアンケート入力モードの場合には、入力させた文字と関連する、クイズ回答あるいはアンケート記入時に使用される頻度の高い文字列の候補を、表示させる。例えば、アンケート記入時に使用される頻度の高い文字列としては、例えば数字、数字の後の「才」などの文字、「男性」「女性」などの性別や名前、住所などで使用される頻度の高い文字列、「はい」「いいえ」などの回答で使用される頻度の高い文字列が想定される。この文字入力支援機能は、例えば端末１００の制御部１２０の制御で実現する。
【００１８】
これらの携帯電話端末１００内の各ブロックは、制御ライン１３０を介して制御部１２０などと接続してあり、制御部１２０の制御で処理が行われるようにしてある。またデータライン１４０を介してデータ転送を行える構成としてあり、メモリ１０５に必要なデータを記憶させるようにしてある。このメモリ１０５には、携帯電話端末として必要なデータやアプリケーションプログラムだけでなく、後述するＩＣカード機能部１５０で必要なデータについても記憶させてある。但し、ＩＣカード機能部１５０で必要なデータの一部については、ＩＣカード機能部１５０側に記憶させるようにしてもよい。また、クイズ回答情報やアンケート情報、それらの情報に関連した情報についても、メモリ１０５に記憶される。
【００１９】
また、制御部１２０は、後に詳述するように表示部１０８に表示されたアプリケーションのコンテンツ・データがアクティブになったことを検知する検知手段、及びアクティブになったアプリケーションのコンテンツ・データを操作できるよう切り替える切替手段として機能し、さらに、コンテンツ・データが操作可能な状態に切り替えられたことを受けて表示部等に対し通知を行うよう指示する。
【００２０】
また、この携帯端末装置１００への電話回線を介した着信や各種警告を行うために、複数の色の異なる発光ダイオードなどで構成される発光部１１１と、端末そのものを振動させる振動モータなどで構成される振動部１１２とを備え、制御部１２０の制御で、発光や振動を行う。これらの発光部１１１や振動部１１２は、携帯電話端末として着信などを知らせる告知手段として使用されるが、セキュリティ機能で必要な警告手段、さらには後述するキー・イベントが振り分けられているアプリケーションやそのコンテンツを知らせる通知手段としても使用するようにしてある。セキュリティ機能で必要な警告手段や、キー・イベントの振り分けを通知する通知手段として、音を鳴らす場合には、スピーカ１０４などから音を出力させてもよい。上記キー・イベントの振り分けは、アプリケーションのコンテンツ・データの内容に応じて変更される。
【００２１】
携帯電話端末１００が備える非接触ＩＣカード機能部１５０は、アンテナ１５１が接続された課金データ制御部１５２を有し、リーダ・ライタとの間で、数ｃｍ程度の非常に近接した距離での近接無線通信を行う。この近接無線通信を行う際には、リーダ・ライタ側からの電波を受信して得られる電力で、課金データ制御部１５２を作動させることも可能であるが、本例においては他のブロックと同様携帯電話端末１００内の電池（図示せず）から供給される電源で、課金データ制御部１５２を作動させるようにしてある。非接触ＩＣカード機能用のアンテナ１５１は、例えば携帯電話端末１００の筐体に内蔵させてあり、筐体の表面をリーダ・ライタに接近させることで、双方向の通信が行える。
【００２２】
課金データ制御部１５２は、ＩＣカード機能を実行する際に、課金や認証に必要なデータをメモリ１０５（又は課金データ制御部１５２内のメモリ）から読み出して、リーダ・ライタと近接無線通信でやり取りを行う。例えば、予めユーザが購入したある施設内への入場券（いわゆる電子チケット）の情報を、メモリ１０５に記憶させてある。或いは、その施設内に入場する際や、商品の購入時などに引き落とすことができるチャージ金額の情報などを、メモリ１０５に記憶させてある。
【００２３】
次に、本例の携帯電話端末１００のソフトウェア構成を、図３を参照して説明する。なお、図３においては、ユーザにより２つのアプリケーションのいずれかに対するキー操作が行われた場合に、表示画面上にそのキー操作内容を反映するのに必要とされるソフトウェア構成について示してある。図中、２１０は接続デバイス、２２０は基本ソフトウェアであるＯＳ（オペレーション・システム）、２３０はアプリケーション・マネージャー、２４０はアプリケーションである。
【００２４】
デバイス２１０はハードウェア領域であり、キー操作部１０６と、表示部１０８及びこれを制御する表示部コントローラ１０７から構成されている。
【００２５】
また、ＯＳ２２０は、キー操作部１０６から送られるキー入力信号の処理・制御を行うキー入力ドライバ２２１、また表示部コントローラ１０７を制御する表示部コントローラドライバ２２２から構成され、これら各ドライバはハードウェアとの間を取り持ちＯＳ２２０上で動作する。
【００２６】
また、アプリケーション・マネージャー２３０は、複数のアプリケーションとの情報のやり取りを統括・管理する領域であり、キー・イベントを取得するキー入力管理部２３１、他のアプリケーションからの描画要求を管理する画面制御部２３２から構成されている。
【００２７】
また、アプリケーション２４０は、さまざまなアプリケーションの総称であり、この例では、アプリケーション２４１はアプリケーションＡ、アプリケーション２４２はアプリケーションＢに相当する。ピクト（ＰＩＣＴ；登録商標）表示２４３は、後述する図４のピクト表示部領域上にユーザに対し情報を通知するための画像を表示するアプリケーションである。
【００２８】
上述のソフトウェア構成において、例えばユーザがキー操作部１０６を操作すると、キー入力信号（キー・イベント情報）がキー入力ドライバ２２１を介してキー入力管理部２３１に入力される。キー入力管理部２３１は、２つのアプリケーション２４１，２４２のいずれに対するキー・イベント情報であるかを判断し、アプリケーション２４１又は２４２のいずれかにキー・イベント情報を供給する。アプリケーション２４１又は２４２は、キー・イベント情報を受けて起動、あるいは所定の処理を行い、画面制御部２３２に画像データを出力する。そして、アプリケーション領域２４０から出力された画像データが、画面制御部２３２から表示部コントローラドライバ２２２を介して、表示部コントローラ１０７へと出力され、表示部１０８に表示される。
【００２９】
このとき、制御部１２０は、アプリケーション２４１及び２４２間においてキー・フォーカス切り替え、すなわち入力操作が可能なアプリケーションの対象を切り替える必要があると判断した場合、その情報をピクト表示２４３に送り、ピクト表示２４３よりキー・フォーカスを変更したことをピクト表示領域３１０に表す画像データを画面制御部２３２に出力するようになっている。
【００３０】
図４は、本例の携帯電話端末１００の表示部１０８での画面表示例（１）を示す図である。本例は一般的な携帯電話端末の画面表示イメージであり、一画面の中に２つのアプリケーションのコンテンツが表示された状態（マルチ・ウィンドウ表示）を表している。表示部１０８の画面は、上からピクト表示領域３１０、第１アプリケーション表示領域３２０、第２アプリケーション表示領域３３０、左右操作（Ｌ，Ｒ）が可能なポインティング表示領域から構成されている。
【００３１】
ピクト表示領域３１０は、一般的な携帯電話端末に表示される電界強度３１１、電池残量３１２等のピクト画像を表示する。また、第１アプリケーション表示領域３２０はアプリケーションＡが表示される部分であり、そのコンテンツ表示部３２１にはコンテンツＡが表示される。同様に第２アプリケーション表示領域３３０はアプリケーションＢが表示される部分であり、そのコンテンツ表示部３３１にはコンテンツＢが表示されている。
【００３２】
本例では、図４の画面表示において、例えばアプリケーションＡをテレビジョン放送視聴用アプリケーション、その中で表示されているコンテンツＡをクイズ番組（後述図６Ａ参照）とする。また、アプリケーションＢをデジタルデータ放送とし、その中で表示されるコンテンツＢは任意の内容とする。なお、ここで述べたデータ放送とは、例えばインターネット等の通信網を経由して外部からデータを受信し表示部１０８に表示するとともに、携帯電話端末１００からも外部に対してデータ送信が行えるものであればよい。また、コンテンツＡは、クイズ番組の他、オンラインショッピング番組やニュース番組等、視聴者の希望、意見、感想などを募る番組が考えられる。
【００３３】
ここで、図４に示すテレビジョン放送（アプリケーションＡ）のクイズ番組の進行に合わせ、データ放送（アプリケーションＢ）を利用して視聴者がクイズに応える視聴者クイズの時間となった場合を想定する。このときの図４の画面表示イメージから画面遷移した後の画面表示イメージを図５に示す。図５に示されるように、アプリケーションＢに表示されていたコンテンツＢが、クイズ回答用のコンテンツＢ´（斜線部）へと切り替わる。
【００３４】
図６は、このときの表示部１０８の画面表示イメージの例を示すものである。（Ａ）はコンテンツＡのクイズ番組の一コマであり、司会者３２２が問題を出題し回答者３２３，３２４が回答する番組内容となっている。（Ｂ）は視聴者クイズに係るクイズ回答用の表示であり、例えば問題３３３及びこれに対する選択枝３３４から構成されている。例えば、これがオンラインショッピング番組の場合、図６Ａは商品紹介画面、図６Ｂは商品購入用データ入力画面といったものになる。
【００３５】
図５を用いて説明したように、第２アプリケーション表示領域３３０に表示されたアプリケーションＢのコンテンツ表示部３３２が、クイズ回答用のコンテンツＢ´に切り替わるとき、これに合わせて、キー・フォーカスもコンテンツＡからコンテンツＢ´へ切り替わり、ピクト表示部３１０にキー・フォーカス変更ピクト３１３が表示される。キー・フォーカス変更ピクト３１３は、現在のキー・フォーカスがいずれのアプリケーションにあるかを示す画像情報である。本例では「キー変更中」と表示しており、このキー・フォーカス変更ピクト３１３により、ユーザがキー・フォーカス変更中であることを認識できるようにしてもよい。このキー・フォーカス変更ピクト３１３は、文字をデザインしたもの以外に、アプリケーションもしくはコンテンツを表すアイコン等、種々のデザインが考えられる。
【００３６】
図７は、図６Ｂに示すクイズ回答用のコンテンツＢ´のソース情報を簡略化して表したものである。これは、例えばＨＴＭＬ（HyperText Markup Language）のようなマークアップ言語で作成することができる。図中、「Ａｃｔｉｖｅ」とあるのは、このページ全体をアクティブ、すなわちキー・フォーカスするページであると定義するタグであり、キー・フォーカスの要・不要を識別するのに使用される情報でもある。制御部１２０は、外部から受信したコンテンツ内に「Ａｃｔｉｖｅ」タグが有るか否かを判断し、その結果によりそのコンテンツをキー・フォーカスすべきものかどうかを判定してキー・イベントを振り分けている。
【００３７】
この回答用コンテンツの回答欄にはリンク設定がなされ、それぞれの選択肢の回答欄がコンテンツＡを提供するテレビジョン放送局の所定のコンピュータとリンクできるように構成されている。そして、ユーザが所望の選択肢部分をクリックすることで、ユーザの選択した回答情報がテレビジョン放送局側へ送信され、上記コンピュータに搭載の集計用ソフトウェアを用いて全国の視聴者の回答が集計される。
【００３８】
なお、図７に示したクイズ回答用コンテンツのソース情報は、あるコンテンツをアクティブにしてキー・フォーカスを切り替えるための方法を概念的に説明する目的で記載したものであって、実際に実施されるものとは異なる。
【００３９】
次に、キー・フォーカスが変更したときのキー・アサイン変更フローチャートを、図８のフローチャートを参照して説明する。この図８においては、キー・アサイン変更要求が出されて、キー・フォーカス変更ピクト３１３が表示又は表示状態の変更が行われ、キー・アサイン切り替えが実行されるまでの処理の流れを示している。
【００４０】
開始時点で、既に２つのアプリケーションＡ，ＢのそれぞれのコンテンツＡ，Ｂが画面上に表示されている状態とする（ステップＳ１）。ここで、図５のようにアプリケーションＢのコンテンツ表示部３３１に表示されるコンテンツＢの切り替えを行う（ステップＳ２）。制御部１２０は切り替え後のコンテンツＢ´のソース情報から、このコンテンツＢ´に対して、キー・アサインつまりキー操作部１０６の個々のキーへの機能の割り当てを変更するか否か、及びキー・アサインの変更内容を判断する（ステップＳ３）。これは、切り替え後のコンテンツＢ´にキー・アサイン変更を示す識別情報、例えば「Ａｃｔｉｖｅ」タグが有るか否か、また有る場合にはその内容を分析することで判定できる。
【００４１】
そして、上記ステップ３における判断に従い、例えばキー・アサイン変更タグが検出された場合にはピクト表示領域３１０のキー・フォーカス変更ピクト３１３を表示する、あるいは表示を変更するなどしてピクト表示を変化（ステップＳ４）させる。そして、表示部１０８のキー・アサインを切り替える（ステップＳ５）。制御部１２０ではアプリケーションＢが表示するコンテンツＢ´以降に表示されるコンテンツのタグについても観察を続け、キー・アサイン変更を示すタグがなくなったら変更されたキー・アサインを元の状態、すなわちアプリケーションＡに戻すとともに、キー・フォーカス変更ピクト３１３を消去あるいは元に戻して、一連のキー・アサイン変更処理を終了する（ステップＳ６）。
【００４２】
なお、このキー・アサインが変更されたことを通知する手段として、キー・フォーカス変更ピクト３１３を表示する他、発光部１１１を発光させてその発光色や発光パターンの違いを利用したり、振動部１１２の振動を利用したり、さらにスピーカ１０４による音を利用して通知することができる。
【００４３】
上述した実施の形態によると、複数のアプリケーションを表示できる表示部を持つ携帯電話端末において、コンテンツに応じてキー・イベントが自動的に振り分けられるアプリケーションを使用時に、キー・イベントが振り分けられているアプリケーションあるいはそのコンテンツを表示部の一部に表示することで、ユーザに対し現在のキー・フォーカス状態、すなわちどのアプリケーションにキー・イベントが振り分けられているかを明示的に知らせることができる。
【００４４】
したがって、ユーザはキー・フォーカスされたアプリケーションが切り替えられ、新たなコンテンツ・データにキー・イベントが振り分けられたことを即座に認識することができるので、ユーザビリティが向上する。
【００４５】
なお、本発明は上述した実施の形態の携帯電話端末に限られるものではなく、例えばＰＤＡ（Personal Digital Assistance）等、携帯可能な端末に適用することができ、本発明の要旨を逸脱することなくその他種々の構成を取り得ることは勿論である。
【図面の簡単な説明】
【００４６】
【図１】本発明の一実施の形態による携帯端末の概略外観図である。
【図２】本発明の一実施の形態による携帯端末の構成例を示したブロック図である。
【図３】本発明の一実施の形態によるソフトウェア構成例を示す図である。
【図４】本発明の一実施の形態による画面表示例（１）を示す図である。
【図５】本発明の一実施の形態による画面表示例（２）を示す図である。
【図６】本発明の一実施の形態による画面表示例（３）を示す図である。
【図７】本発明の一実施の形態によるクイズ回答用コンテンツのタグ構成例を示す図である。
【図８】本発明の一実施の形態によるキー・アサイン変更フローチャートである。
【符号の説明】
【００４７】
１００…携帯電話端末、１０１…アンテナ、１０２…通信回路、１０３…マイク、１０４…スピーカ、１０５…メモリ、１０６…キー操作部、１０７…表示部コントローラ、１０８…表示部、１０９…テレビチューナ，１１０…アンテナ，１１１…発光部、１１２…振動部、２２１…キー入力ドライバ、２２２…表示部コントローラ、２３１…キー入力管理部、２３２…画面制御部、２４１，２４２…アプリケーション、２４３…ピクト表示、３１０…ピクト表示領域、３１３…キー・フォーカス変更ピクト、３２０…第１アプリケーション表示領域、３２１，３３１，３３２…コンテンツ表示部、３３０…第２アプリケーション表示領域
【図１】
2006059117.tif 000003
【図２】
2006059117.tif 000004
【図３】
2006059117.tif 000005
【図４】
2006059117.tif 000006
【図５】
2006059117.tif 000007
【図６】
2006059117.tif 000008
【図７】
2006059117.tif 000009
【図８】
2006059117.tif 000010